(57)【要約】【課題】設置スペースに高さ制限があっても設置可能でかつ排水口への着脱操作時に摘む摘み部の汚れを抑制するヘアキャッチャーを提供すること。【解決手段】排水口に着脱可能に装着されるヘアキャッチャー本体１２と、ヘアキャッチャー本体１２の洗い場側に形成されて洗い場から排水が流入する凹状の第１流入部２２と、第１流入部２２の底面２２Ｂに形成され第１流入部２２からの排水を排水口内へ流出させる第１排水孔２６が形成された凹状の第２流入部２４と、第１流入部２２の底面２２Ｂでかつ側壁面２２Ａと第２流入部２４との間に設けられ洗い場側へ突出し一部がヘアキャッチャー本体１２の着脱操作時に摘む摘み部３４を構成する壁部２８と、底面２２Ｂでかつ少なくとも壁部２８と側壁面２２Ａとの間に形成され洗い場からの排水を排水口内へ流出させる第２排水孔３０と、をヘアキャッチャー１０が有すること。【選択図】図５
2012207417.tif 000002
【特許請求の範囲】
【請求項１】
洗い場に設けられた排水口に着脱可能に装着されるヘアキャッチャー本体と、
前記ヘアキャッチャー本体の前記洗い場側に形成され、前記洗い場から排水が流入する凹状の第１流入部と、
前記第１流入部の底面に形成され、前記第１流入部から流入する前記排水を前記排水口内へ流出させる第１排水孔が形成された凹状の第２流入部と、
前記第１流入部の底面でかつ該第１流入部の側壁面と前記第２流入部との間に設けられ、前記洗い場側へ突出し、一部が前記ヘアキャッチャー本体を前記排水口へ着脱操作する際に摘む摘み部を構成する壁部と、
前記第１流入部の底面でかつ少なくとも前記壁部と前記第１流入部の側壁面との間に形成され、前記洗い場から流入する前記排水を前記排水口内へ流出させる第２排水孔と、
を有するヘアキャッチャー。
【請求項２】
前記壁部は、前記第１流入部の底面に沿って前記第２流入部の外周の一部を囲うように延在している請求項１に記載のヘアキャッチャー。
【請求項３】
前記壁部は、前記第２流入部側に対して反対側の外壁面が、前記第２流入部の外周を囲うように湾曲している請求項２に記載のヘアキャッチャー。
【請求項４】
前記第２流入部は、前記洗い場側から見て円形状とされ、
前記壁部の外壁面は、該壁部の延在方向の両端側が前記第２流入部の中心を向くように湾曲している請求項３に記載のヘアキャッチャー。
【請求項５】
前記第１流入部の側壁面から前記第２流入部の側壁面までの距離は、前記壁部が設けられた領域よりもその他の領域で短い請求項１〜４のいずれか１項に記載のヘアキャッチャー。
【発明の詳細な説明】
【技術分野】
【０００１】
本発明は、排水口に設置されるヘアキャッチャーに関する。
【背景技術】
【０００２】
浴室の洗い場に設けられる排水口には、排水に含まれる毛髪などの異物を捕集するためにヘアキャッチャーが設置されている（例えば、特許文献１）。
【０００３】
特許文献１では、毛髪などを捕集するための目皿部に上方へ突出する仕切り壁部を設けたヘアキャッチャーを排水口に設置している。このヘアキャッチャーは、仕切り壁部の上部が摘み部となっており、清掃時には、摘み部を掴んで排水口から容易に取り外せるようになっている。
【先行技術文献】
【特許文献】
【０００４】
【特許文献１】特開２００８−２７４６２１号公報
【発明の概要】
【発明が解決しようとする課題】
【０００５】
ところで、ユニットバスの中には、洗い場床面に設けられた凹状の排水受部の底部に排水口が形成され、この排水口を排水受部に嵌め込んだ蓋で覆うタイプのものがある。この種のユニットバスの場合にも、ヘアキャッチャーは排水口に設置される。
【０００６】
しかしながら、ユニットバスは、排水受部の深さが戸建住宅向けのものよりも集合住宅向けのもので浅くなっていることが多く、排水口に設置されるヘアキャッチャーの高さ（排水口からの突出量）に制限が設けられることが多い。
【０００７】
このため、特許文献１のヘアキャッチャーのように目皿部に上方へ突出する仕切り壁部が設けられていると、蓋と仕切り壁部とが干渉して蓋が閉じられない、という問題が生じる虞がある。
上記問題を考慮して、仕切り壁部の目皿部からの突出量を少なくすると、洗い場から排水受部に流入した排水が仕切り壁部を乗り越えやすくなる。このように、排水が仕切り壁部を乗り越えることが繰り返されると、摘み部が排水で汚れたり、摘み部に毛髪などが付着して汚れたり、などしてしまう。
【０００８】
本発明は、設置スペースに高さ制限があっても設置可能で、かつ、排水口への着脱操作時に摘む摘み部の汚れを抑制することを課題とする。
【課題を解決するための手段】
【０００９】
請求項１に記載のヘアキャッチャーは、洗い場に設けられた排水口に着脱可能に装着されるヘアキャッチャー本体と、前記ヘアキャッチャー本体の前記洗い場側に形成され、前記洗い場から排水が流入する凹状の第１流入部と、前記第１流入部の底面に形成され、前記第１流入部から流入する前記排水を前記排水口内へ流出させる第１排水孔が形成された凹状の第２流入部と、前記第１流入部の底面でかつ該第１流入部の側壁面と前記第２流入部との間に設けられ、前記洗い場側へ突出し、一部が前記ヘアキャッチャー本体を前記排水口へ着脱操作する際に摘む摘み部を構成する壁部と、前記第１流入部の底面でかつ少なくとも前記壁部と前記第１流入部の側壁面との間に形成され、前記洗い場から流入する前記排水を前記排水口内へ流出させる第２排水孔と、を有する。
【００１０】
請求項１に記載のヘアキャッチャーでは、洗い場からの排水は、第１流入部に流入し、第２排水孔を通って排水口内へ流出する。また、第２排水孔で処理しきれない排水は、第１流入部から第２流入部へ流入し、第１排水孔を通って排水口内へ流出する。
ここで、洗い場からの排水に異物（例えば、毛髪など）が混入している場合、この異物は、排水とともに第１流入部から第２流入部へ流入する。そして、第２流入部に流入した排水は第１排水孔を通って排水口内へ流出するため、異物が第２流入部内に残留する。つまり、異物が第２流入部によって捕集される。
なお、摘み部を摘んで、ヘアキャッチャー本体を排水口から脱着する操作を行なうことで、ヘアキャッチャー本体が排水口から外れる。そして、第２流入部から異物を除去することで、ヘアキャッチャーの排水性能が回復する。
【００１１】
上記ヘアキャッチャーでは、第１流入部の底面に洗い場側へ突出する壁部を設けていることから、例えば、ヘアキャッチャー本体の洗い場側の面に洗い場側へ突出する壁部を設けたものと比べて、ヘアキャッチャー本体からの壁部の突出量が少なくなり、ヘアキャッチャーの設置スペースに高さ制限があったとしても、設置が可能となる。
【００１２】
一方、上記ヘアキャッチャーでは、第１流入部の深さを深くすることで、ヘアキャッチャー本体からの壁部の突出量を増加させずに、該壁部の第１流入部の底面からの突出高さを高くすることができる。これにより、洗い場から第１流入部へ流入する排水の壁部の乗り越えを抑制することができる。
【００１３】
また、上記ヘアキャッチャーでは、第１流入部の底面でかつ少なくとも壁部と第１流入部の側壁面との間に第２排水孔を形成していることから、洗い場から第１流入部へ流入した排水は、壁部手前（壁部と第１流入部の側壁面との間）の第２排水孔を通って排水口内へ流出する。上記ヘアキャッチャーは、例えば、壁部と第１流入部の側壁面との間に第２排水孔を形成していないものと比べて、壁部を乗り越えようとする排水が壁部手前で第２排水孔を通って排水口内へ流出されることから、壁部の乗り越えをさらに抑制することができる。
これにより、壁部の一部によって構成される摘み部が排水や毛髪などの付着によって汚れるのが抑制される。
【００１４】
なお、洗い場から第１流入部に流入した排水が第２流入部へ多方向から勢いよく流入すると、排水同士が衝突し合って排水の流れが乱れ、第２流入部の第１排水孔から排水が流出する速度（排水速度）が低下しやすい。このため、上記ヘアキャッチャーでは、第１流入部の底面でかつ該第１流入部の側壁面と第２流入部との間に壁部を設けている。この壁部により第２流入部に流入する少なくとも一方向の排水の流れが妨げられるため、例えば、第１流入部の側壁面と第２流入部との間に壁部を設けないものと比べて、第２流入部に流入する排水の流れの乱れが抑制されて、第１排水孔から排水が流出する速度の低下が抑制される。
【００１５】
以上、上記ヘアキャッチャーによれば、設置スペースに高さ制限があっても設置することができ、かつ、排水口への着脱操作時に摘む摘み部の汚れを抑制することができる。
【００１６】
請求項２に記載のヘアキャッチャーは、請求項１に記載のヘアキャッチャーにおいて、前記壁部は、前記第１流入部の底面に沿って前記第２流入部の外周の一部を囲うように延在している。
【００１７】
請求項２に記載のヘアキャッチャーでは、壁部を、第１流入部の底面に沿って第２流入部の外周の一部を囲うように延在させていることから、第２流入部に流入する排水の流れを広い範囲で妨げられるため、例えば、壁部を、第２流入部の外周の一部を囲うように延在させていないものと比べて、第２流入部に流入する排水の流れの乱れがさらに抑制される。
【００１８】
請求項３に記載のヘアキャッチャーは、請求項２に記載のヘアキャッチャーにおいて、前記壁部は、前記第２流入部側に対して反対側の外壁面が、前記第２流入部の外周を囲うように湾曲している。
【００１９】
請求項３に記載のヘアキャッチャーでは、壁部の外壁面が第２流入部を囲うように湾曲していることから、洗い場から第１流入部に勢いよく流入した排水が湾曲した外壁面に沿って壁部の延在方向の端部へスムーズに案内される。これにより、例えば、壁部の外壁面が第２流入部の外周を囲わずに直線状に延びているものと比べて、洗い場から第１流入部に勢いよく流入した排水の壁部の乗り越えを抑制することができる。
【００２０】
請求項４に記載のヘアキャッチャーは、請求項３に記載のヘアキャッチャーにおいて、前記第２流入部は、前記洗い場側から見て断面円形状とされ、前記壁部の外壁面は、該壁部の延在方向の両端側が前記第２流入部の中心を向くように湾曲している。
【００２１】
請求項４に記載のヘアキャッチャーでは、外壁面の壁部延在方向の両端側を、第２流入部の中心を向くように湾曲させていることから、洗い場から第１流入部へ流入した排水が湾曲した外壁面に沿って壁部延在方向の両端側にある第２流入部へスムーズに案内される。これにより、例えば、外壁面の壁部延在方向の両端側を、第２流入部の中心を向くように湾曲させていないもの（例えば、外壁面の壁部延在方向の両端側を第２流入部の側壁面に沿った形状としたもの）と比べて、洗い場から第１流入部に流入した排水をスムーズに第２流入部へ案内することができる。
【００２２】
請求項５に記載のヘアキャッチャーは、請求項１〜４のいずれか１項に記載のヘアキャッチャーにおいて、前記第１流入部の側壁面から前記第２流入部の側壁面までの距離は、前記壁部が設けられた領域よりもその他の領域で短い。
【００２３】
請求項５に記載のヘアキャッチャーでは、壁部が設けられた領域よりもその他の領域で第１流入部の側壁面から第２流入部の側壁面までの距離が短いことから、その他の領域側を流れる排水は、壁部が設けられた領域よりも速く第２流入部に流入し、第１排水孔を通って排水口内へ流出する。この構成により、洗い場から第１流入部へ流入する排水が、スムーズに第２流入部に流入して処理（排水口内へ流出）される。これにより、洗い場から、急激に多量の排水が第１流入部に流入しても、第１流入部から排水が溢れるのを抑制することができる。
【発明の効果】
【００２４】
以上説明したように、本発明のヘアキャッチャーによれば、設置スペースに高さ制限があっても設置することができ、かつ、排水口への着脱操作時に摘む摘み部の汚れを抑制することができる。
【図面の簡単な説明】
【００２５】
【図１】本発明の第１実施形態に係るヘアキャッチャーが用いられる浴室を斜め上方から見下ろした斜視図である。
【図２】本発明の第１実施形態に係るヘアキャッチャーの排水口への設置状態を示す、ヘアキャッチャーを斜め上方から見下ろした斜視図である。
【図３】本発明の第１実施形態に係るヘアキャッチャーを排水口へ設置し、化粧蓋で覆った状態を示す、化粧蓋を斜め上方から見下ろした斜視図である。
【図４】本発明の第１実施形態に係るヘアキャッチャーの排水口への設置状態を示す、洗い場の排水受部周辺の断面図である。
【図５】本発明の第１実施形態に係るヘアキャッチャーを斜め上方から見下ろした斜視図である。
【図６】本発明の第１実施形態に係るヘアキャッチャーを上方から見下ろした平面図である。
【図７】本発明の第１実施形態に係るヘアキャッチャーを側方から見た側面図である。
【発明を実施するための形態】
【００２６】
以下、本発明の第１実施形態に係るヘアキャッチャー１０について図面を参照しながら説明する。
【００２７】
（第１実施形態）
本実施形態のヘアキャッチャー１０は、図１に示す浴室９０の洗い場９２に設けられる排水口９８に着脱可能に装着されて、洗い場９２からの排水に含まれる異物（例えば、毛髪など）を捕集するためのものである。
【００２８】
図１に示すように、浴室９０は、洗い場９２と浴槽９４とを含んで構成されている。洗い場９２の床面９２Ａには、浴槽９４との境界近傍に凹状の排水受部９６が形成されている（図２、図４参照）。
【００２９】
洗い場９２の床面９２Ａは、排水受部９６に向かって高さが低くなるように緩やかに傾斜している。この傾斜により、床面９２Ａ上の排水が排水受部９６へ向かって流れるようになっている。
【００３０】
図２、図４に示すように、排水受部９６の底部９６Ａには、排水口９８が形成されている。この排水口９８は、洗い場９２から排水受部９６内に流れ込んだ排水を図示しない排水管などを通して下水へと流すためのものである。また、上述したように、排水口９８には、ヘアキャッチャー１０が着脱可能に装着されている。
【００３１】
図３、図４に示すように、排水受部９６には、排水口９８及びヘアキャッチャー１０を洗い場９２や浴槽９４から遮蔽する（すなわち、目隠しする）ための化粧蓋１００が設置されている。
【００３２】
（ヘアキャッチャー）
次に、ヘアキャッチャー１０について説明する。
図４、図５に示すように、ヘアキャッチャー１０は、排水口９８に着脱可能に装着される樹脂製のヘアキャッチャー本体１２を有している。なお、本実施形態では、ヘアキャッチャー本体１２を樹脂材料で構成しているが、錆が発生し難い材料であれば、樹脂材料以外でも構わない。
【００３３】
ヘアキャッチャー本体１２は、軸方向Ｘ（軸心Ｘに沿った方向）の一端が開放され、他端が閉塞された有底円筒状とされている。なお、ヘアキャッチャー本体１２を排水口９８に装着した状態においては、軸方向Ｘが浴室の上下方向と一致し、軸方向Ｘの一端側が洗い場９２側となる。また、ヘアキャッチャー本体１２の軸心は、後述する筒部１４の軸心である。
【００３４】
図５に示すように、ヘアキャッチャー本体１２は、軸方向Ｘの一端側を構成する筒部１４と、軸方向Ｘの他端側を構成し筒部１４よりも外径及び内径が小さい筒部１６とを備えている。
また、ヘアキャッチャー本体１２は、筒部１６の軸方向Ｘの一端部から外周側（軸方向Ｘと直交する方向）へ張り出して外周縁部が筒部１４の軸方向Ｘの他端部に連結される連結部１８と、筒部１６の軸方向Ｘの他端部を閉塞する底部２０とを備えている。
【００３５】
上記構成により、ヘアキャッチャー本体１２には、洗い場９２側（軸方向Ｘの一端側）に対して反対側に凹む凹状の第１流入部２２が形成される。この第１流入部２２は、具体的には、筒部１４の内周壁面と連結部１８の軸方向Ｘの一端側の壁面とで構成されるものである。
以下では、筒部１４の内周壁面を第１流入部２２の側壁面２２Ａ、連結部１８の軸方向Ｘの一端側の壁面を第１流入部２２の底面２２Ｂとして説明する。
【００３６】
また、ヘアキャッチャー本体１２には、第１流入部２２の底面２２Ｂに洗い場９２側（軸方向Ｘの一端側）に対して反対側に凹む凹状の第２流入部２４が形成されている。第２流入部２４は、具体的には、筒部１６の内周壁面と底部２０の軸方向Ｘの一端側の壁面とで構成されるものである。なお、第２流入部２４は、洗い場９２側から見て（軸方向の一端側から見て）円形状とされている。
以下では、筒部１６の内周壁面を第２流入部２４の側壁面２４Ａ、底部２０の軸方向Ｘの一端側の壁面を第２流入部２４の底面２４Ｂとして説明する。
【００３７】
図２に示すように、第１流入部２２及び第２流入部２４には、洗い場９２からの排水が流入するようになっている。このため、第１流入部２２及び第２流入部２４には、それぞれ排水用の排水孔（詳細は後述）が複数形成されている。
【００３８】
図５、図６に示すように、第２流入部２４の底面２４Ｂには、第１流入部２２から流入する排水を排水口９８内へ流出させる第１排水孔２６が複数形成されている。この第１排水孔２６は、底部２０を軸方向Ｘの一端側（洗い場９２側）から他端側（排水口９８の奥側）へ貫通する貫通孔であり、本実施形態では、断面形状が円形の丸孔とされている。なお、本発明のその他の実施形態では、第１排水孔２６の断面形状を楕円、多角形などにしてもよい。
【００３９】
なお、本実施形態では、第２流入部２４の側壁面２４Ａに排水用の排水孔を形成しない構成としているが、本発明はこの構成に限定されず、側壁面２４Ａに排水孔を形成してもよい。
【００４０】
図２、図５に示すように、第１流入部２２の底面２２Ｂには、軸方向Ｘの一端側（洗い場９２側）へ突出する壁部２８が形成されている。この壁部２８は、第１流入部２２の側壁面２２Ａと第２流入部２４との間に配置されている。
【００４１】
図５、図６に示すように、壁部２８は、第１流入部２２の底面２２Ｂに沿って第２流入部２４の外周の一部を囲うように延在している。この壁部２８は、第２流入部２４の外周の１／８〜１／２を囲うように延在することが好ましい。なお、第２流入部２４に対する壁部２８の囲いが１／８未満の場合には、後述する壁部２８の洗い場９２から第１流入部２２へ勢いよく流入する排水を妨げることで得られる効果が少なく、１／２を超える場合には、第１流入部２２内の排水が第２流入部２４に流入しにくくなる。このため、本実施形態では、壁部２８が、第２流入部２４の外周の１／８〜１／２を囲うように延在させている。
【００４２】
また、壁部２８は、第２流入部２４に対して反対側の外壁面２８Ａが、第２流入部２４の外周を囲うように湾曲している。また、壁部２８は、該壁部２８の延在方向（以下、単に「壁部延在方向」と記載。）の両端側が第２流入部２４の中心を向くように湾曲している。これにともなって、上記外壁面２８Ａの壁部延在方向の両端側が第２流入部２４の中心を向くように湾曲している。
【００４３】
図５に示すように、第１流入部２２の底面２２Ｂは、第１流入部２２内の排水が第２流入部２４へ流れやすくなるように、第２流入部２４へ向かって直線状又は湾曲しながら傾斜している。
【００４４】
また、第１流入部２２の底面２２Ｂには、洗い場９２から流入する排水を排水口９８内へ流出させる第２排水孔３０が形成されている。この第２排水孔３０は、連結部１８を軸方向Ｘの一端側（洗い場９２側）から他端側（排水口９８の奥側）へ貫通する貫通孔であり、本実施形態では、断面形状が円形の丸孔とされている。なお、本発明のその他の実施形態では、第２排水孔３０の断面形状を楕円、多角形などにしてもよい。
【００４５】
図６に示すように、第２排水孔３０は、少なくとも壁部２８と第１流入部２２の側壁面２２Ａとの間に複数配置されている。なお、本実施形態では、第２排水孔３０は、第１流入部２２の底面２２Ｂに円環状に形成されている。
【００４６】
図５に示すように、第１流入部２２の底面２２Ｂのうち、壁部２８と第２流入部２４との間の底面２２Ｃは、第２流入部２４の側壁面２４Ａの端部から壁部２８の頂上付近まで延在しており、上端が底面２２Ｂよりも高い位置にある。このため、壁部２８は、外壁面２８Ａの底面２２Ｂからの突出高さよりも、内壁面２８Ｂ（外壁面２８Ａに対して反対側の壁面）の底面２２Ｃからの突出高さが低くなっている。図５、図６に示すように、底面２２Ｃには、壁部２８側でかつ壁部延在方向の中央部分近傍に、軸方向Ｘの他端側へ凹となる窪み３２が形成されている。これにより、壁部２８の上記中央部分を、ヘアキャッチャー本体を排水口９８へ着脱操作する際の摘み部３４として摘むことができるようになる。なお、図６に示すように、底面２２Ｃにも、第２排水孔３０が複数形成されている。
【００４７】
また、窪み３２の底面３２Ａにも、洗い場９２から流入する排水を排水口９８内へ流出させる第３排水孔３６が形成されている。この第３排水孔３６は、連結部１８を軸方向Ｘの一端側（洗い場９２側）から他端側（排水口９８の奥側）へ貫通する貫通孔であり、本実施形態では、断面形状が円形の丸孔とされている。なお、本発明のその他の実施形態では、第３排水孔３６の断面形状を楕円、多角形などにしてもよい。
【００４８】
また、図６に示すように、第１流入部２２の側壁面２２Ａから第２流入部２４の側壁面２４Ａまでの距離（軸方向Ｘに対して直交する方向に沿った距離）は、壁部２８が設けられた領域Ｍ１よりもその他の領域Ｍ２で短くなっている。すなわち、筒部１４と筒部１６の軸心は、軸方向Ｘに対して直交する方向にずれている（言い換えると、第１流入部２２と第２流入部２４は偏心している）。
【００４９】
図７に示すように、筒部１４の外周部には、一端が軸方向Ｘの他端側に開口し、筒部１４の外周に沿って延び、他端が筒部１４の外周上で終端する係合溝部３８が複数形成されている。この係合溝部３８には、図４に示すように、排水口９８の入口部分に形成された係合突部９８Ａが一端から入り込んで係合するようになっている。
ここで、ヘアキャッチャー本体１２の筒部１４を、係合溝部３８に係合突部９８Ａが入り込むように排水口９８に挿入し、係合突部９８Ａが係合溝部３８の奥（他端）へ移動するようにヘアキャッチャー本体１２を回転させることで、係合溝部３８と係合突部９８Ａとが係合されて、ヘアキャッチャー本体１２が排水口９８に装着される。
【００５０】
次に、第１実施形態のヘアキャッチャー１０について説明する。
ヘアキャッチャー１０では、洗い場９２からの排水は、第１流入部２２に流入し、第２排水孔３０を通って排水口９８内へ流出する。また、第２排水孔３０で処理しきれない排水は、第１流入部２２から第２流入部２４に流入し、第１排水孔２６を通って排水口９８内へ流出する。
【００５１】
ここで、洗い場９２からの排水に異物（例えば、毛髪など）が混入している場合、この異物は、排水とともに第１流入部２２から第２流入部２４へ流入する。そして、第２流入部２４に流入した排水は、第１排水孔２６を通って排水口９８内へ流出するため、異物が第２流入部２４内に残留する。つまり、異物が第２流入部２４によって捕集される。
【００５２】
なお、摘み部３４を摘んで、ヘアキャッチャー本体１２を排水口９８から脱着する操作を行なうことで、ヘアキャッチャー本体１２が排水口９８から外れる。そして、第２流入部２４から異物を除去することで、ヘアキャッチャー１０の排水性能が回復する。
【００５３】
ヘアキャッチャー１０では、第１流入部２２の底面２２Ｂに壁部２８を設けていることから、例えば、ヘアキャッチャー本体１２の軸方向Ｘの一端側の面（ここでは、筒部１４の一端部）に壁部２８を設けたものと比べて、ヘアキャッチャー本体１２からの壁部２８の突出量が少なくなり、ヘアキャッチャー１０の設置スペースに高さ制限があったとしても、設置が可能となる。つまり、例えば、本実施形態の浴室９０が集合住宅向けのユニットバスであり排水受部９６の底部９６Ａと化粧蓋１００の裏面との間の間隔が狭い（ヘアキャッチャー１０の設置スペースの高さが低い）場合でも、ヘアキャッチャー１０であれば、ヘアキャッチャー本体１２からの壁部２８の突出量が少ないため、排水口９８へ設置しても、図４に示すように、壁部２８と化粧蓋１００とが干渉することなく設置することができる。
【００５４】
一方、ヘアキャッチャー１０では、第１流入部２２の深さを深くすることで、ヘアキャッチャー本体１２からの壁部２８の突出量を増加させずに、該壁部２８の第１流入部２２の底面２２Ｂからの突出高さを高くすることができる。これにより、洗い場９２から第１流入部２２へ流入する排水の壁部２８の乗り越えを抑制することができる。
【００５５】
また、ヘアキャッチャー１０では、第１流入部２２の底面２２Ｂでかつ壁部２８と第１流入部２２の側壁面２２Ａとの間に第２排水孔３０を形成していることから、洗い場９２から第１流入部２２へ流入した排水は、壁部２８手前（壁部２８と第１流入部２２の側壁面２２Ａとの間）の第２排水孔３０を通って排水口９８内へ流出する。ヘアキャッチャー１０は、例えば、壁部２８と第１流入部２２の側壁面２２Ａとの間に第２排水孔３０を形成していないものと比べて、壁部２８を乗り越えようとする排水が壁部２８手前で第２排水孔３０を通って排水口９８内へ流出されることから、壁部２８の乗り越えをさらに抑制することができる。
これにより、壁部２８により構成される摘み部３４が排水や毛髪などの付着によって汚れるのが抑制される。
【００５６】
なお、洗い場９２から第１流入部２２に流入した排水が第２流入部２４へ多方向から勢いよく流入すると、排水同士が衝突し合って流れが乱れ、第２流入部２４の第１排水孔２６から排水が流出する速度（排水速度）が低下しやすい。このため、上記ヘアキャッチャー１０では、第１流入部２２の側壁面２２Ａと第２流入部２４との間に壁部２８を設けている。この壁部２８により第２流入部２４に流入する少なくとも一方向の排水の流れが妨げられるため、例えば、第１流入部２２の側壁面２２Ａと第２流入部２４との間に壁部２８を設けないものと比べて、第２流入部２４に流入する排水の乱れが抑制されて、第１排水孔２６から排水が流出する速度の低下が抑制される。
【００５７】
特に、壁部２８を、第１流入部２２の底面２２Ｂに沿って第２流入部２４の外周の一部を囲うように延在させていることから、第２流入部２４に流入する排水の流れを広い範囲で妨げられるため、例えば、壁部２８を、第２流入部２４の外周の一部を囲うように延在させていないものと比べて、第２流入部２４に流入する排水の乱れがさらに抑制される。
【００５８】
また、壁部２８の外壁面２８Ａが第２流入部２４の外周を囲うように湾曲していることから、洗い場９２から第１流入部２２に勢いよく流入した排水が湾曲した外壁面２８Ａに沿って壁部２８の該壁部２８の延在方向の端部へスムーズに案内される。これにより、例えば、壁部２８の外壁面２８Ａが第２流入部２４の外周を囲わずに直線状に延びているものと比べて、洗い場９２から第１流入部２２に勢いよく流入した排水の壁部２８の乗り越えを抑制することができる。
【００５９】
さらに、外壁面２８Ａの壁部延在方向の両端側を、第２流入部２４の中心を向くように湾曲させていることから、洗い場９２から第１流入部２２へ流入した排水が湾曲した外壁面２８Ａに沿って壁部延在方向の端側にある第２流入部２４へスムーズに案内される。これにより、例えば、外壁面２８Ａの壁部延在方向の両端側を、第２流入部２４の中心を向くように湾曲させていないもの（例えば、外壁面２８Ａの壁部延在方向の両端側を第２流入部２４の側壁面２４Ａに沿った形状としたもの）と比べて、洗い場９２から第１流入部２２に流入した排水をスムーズに第２流入部２４へ案内することができる。
【００６０】
また、上記ヘアキャッチャー１０では、壁部２８が設けられた領域Ｍ１よりもその他の領域Ｍ２で第１流入部２２の側壁面２２Ａから第２流入部２４の側壁面２４Ａまでの距離が短いことから、その他の領域Ｍ２を流れる排水は、領域Ｍ１を流れる排水よりも速く第２流入部２４に流入し、第１排水孔２６を通って排水口９８内へ流出する。この構成により、洗い場９２から第１流入部２２へ流入する排水が、スムーズに第２流入部２４に流入して処理（排水口内へ流出）される。これにより、洗い場９２から、急激に多量の排水が第１流入部２２に流入しても、第１流入部２２から排水が溢れるのを抑制することができる。
【００６１】
一方、上記ヘアキャッチャー１０では、壁部２８の壁部延在方向の中央部（摘み部３４）近傍の底面２２Ｃに窪み３２を形成していることから、摘み部３４を摘みやすくなっている。そして、窪み３２の底面３２Ａにも第３排水孔３６が形成されていることから、例えば、第２流入部２４から排水が溢れ出た場合でも、排水は、窪み３２の第３排水孔３６を通って排水口９８内へ流出される。このため、ヘアキャッチャー１０は、例えば、窪み３２の底面３２Ａに第３排水孔３６を形成しないものと比べて、第２流入部２４側からの排水が壁部２８を乗り越えるのを抑制することができる。
【００６２】
（その他の実施形態）
前述した実施形態のヘアキャッチャー本体１２は、筒部１４、１６、連結部１８及び底部２０を備えているが、本発明はこの構成に限定されず、有底円筒状の筒体の中空部を軸方向Ｘの一端側の大径部と他端側の小径部とで構成し、大径部を第１流入部、小径部を第２流入部とする構成としてもよい。
【００６３】
また、前述した実施形態では、ヘアキャッチャー本体１２に壁部２８を１箇所形成する構成としているが、本発明はこの構成に限定されず、複数箇所に形成してもよい。
【００６４】
前述した実施形態では、浴室９０の洗い場９２に設けられた排水口９８にヘアキャッチャー１０を適用する構成としているが、本発明はこの構成に限定されず、例えば、水廻り器具の一例としての台所の、洗い場（流し）に設けられた排水口にヘアキャッチャー１０を適用する構成としてもよい。また、例えば、水廻り器具の一例としての洗面所の、手洗い場に設けられた排水口にヘアキャッチャー１０を適用する構成としてもよい。
【００６５】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００６６】
１０        ヘアキャッチャー
１２        ヘアキャッチャー本体
２２        第１流入部
２２Ａ      側壁面
２２Ｂ      底面
２４        第２流入部
２４Ａ      側壁面
２４Ｂ      底面
２６        第１排水孔
２８        壁部
２８Ａ      外壁面
３０        第２排水孔
３４        摘み部
９２        洗い場
９８        排水口
Ｍ１        領域（壁部が設けられた領域）
Ｍ２        領域（その他の領域）
Ｘ          軸方向
【図１】
2012207417.tif 000003
【図２】
2012207417.tif 000004
【図３】
2012207417.tif 000005
【図４】
2012207417.tif 000006
【図５】
2012207417.tif 000007
【図６】
2012207417.tif 000008
【図７】
2012207417.tif 000009